【手続補正書】
【提出日】平成20年8月6日(2008.8.6)
【手続補正１】
【補正対象書類名】特許請求の範囲
【補正対象項目名】全文
【補正方法】変更
【補正の内容】
【特許請求の範囲】
【請求項１】
カラー印刷の刷版の製作に用いる描画命令ないし画像データであり、上下に重ねられた画像のそれぞれが印刷出力されるオーバープリントの設定がなされた画像が含まれる描画命令ないし画像データが画像処理端末から入力されたときに、前記オーバープリントの設定にかかわらず上の画像に対応する下の画像がノックアウトされて印刷出力装置から印刷出力されるように画像処理が行われる画像処理装置であって、
前記描画命令ないし前記画像データから前記オーバープリントの設定がなされている画像を検出する検出手段と、
前記検出手段によって前記オーバープリントの設定がなされている前記画像が検出された場合に、前記画像が所定の警告色に変換されて印刷出力されるように設定する色変換設定手段と、
前記描画命令ないし前記画像データに基づいて画像処理を行うときに、前記色変換設定手段の設定に基づいた画像処理を行う画像処理手段と、
を含むことを特徴とする画像処理装置。
【請求項２】
前記色変換設定手段が、前記画像の前記警告色を予め設定されている警告色とする、ことを特徴とする請求項１に記載の画像処理装置。
【請求項３】
前記色変換設定手段が、前記画像の前記警告色を前記画像処理端末で指定される警告色に設定する、ことを特徴とする請求項１に記載の画像処理装置。
【請求項４】
前記画像処理端末上に、前記検出手段によって検出された前記オーバープリントの設定がなされている前記画像に対する処理指定の入力要求を表示する表示手段を有する、ことを特徴とする請求項１から請求項３の何れか１項に記載の画像処理装置。
【請求項５】
前記表示制御手段が、前記画像処理手段によって処理されて得られる画像データに応じた画像を前記画像処理端末上に表示可能とする、ことを特徴とする請求項４に記載の画像処理装置。
【請求項６】
カラー印刷の刷版の製作に用いる描画命令ないし画像データであり、上下に重ねられた画像のそれぞれが印刷出力されるオーバープリントの設定がなされた画像が含まれる描画命令ないし画像データが画像処理端末から入力されたときに、前記オーバープリントの設定にかかわらず上の画像に対応する下の画像がノックアウトされて印刷出力装置から印刷出力されるように画像処理が行われる画像処理装置であって、
前記描画命令ないし前記画像データから前記オーバープリントの設定がなされている画像を検出する検出手段と、
前記検出手段によって前記オーバープリントの設定がなされている前記画像が検出された場合に、通常の印刷出力に加えて、前記画像のみの警告ページ又は前記画像を消去した警告ページを印刷出力するように設定する出力設定手段と、
前記描画命令ないし前記画像データに基づいて画像処理を行うときに、前記出力設定手段の設定に基づいた画像処理を行う画像処理手段と、
を含むことを特徴とする画像処理装置。
【手続補正２】
【補正対象書類名】明細書
【補正対象項目名】００１０
【補正方法】変更
【補正の内容】
【００１０】
上記目的を達成するための請求項１に係る発明は、カラー印刷の刷版の製作に用いる描画命令ないし画像データであり、上下に重ねられた画像のそれぞれが印刷出力されるオーバープリントの設定がなされた画像が含まれる描画命令ないし画像データが画像処理端末から入力されたときに、前記オーバープリントの設定にかかわらず上の画像に対応する下の画像がノックアウトされて印刷出力装置から印刷出力されるように画像処理が行われる画像処理装置であって、前記描画命令ないし前記画像データから前記オーバープリントの設定がなされている画像を検出する検出手段と、前記検出手段によって前記オーバープリントの設定がなされている前記画像が検出された場合に、前記画像が所定の警告色に変換されて印刷出力されるように設定する色変換設定手段と、前記描画命令ないし前記画像データに基づいて画像処理を行うときに、前記色変換設定手段の設定に基づいた画像処理を行う画像処理手段と、を含むことを特徴とする。
【手続補正３】
【補正対象書類名】明細書
【補正対象項目名】００１１
【補正方法】変更
【補正の内容】
【００１１】
請求項２に係る本発明は、前記色変換設定手段が、前記画像の前記警告色を予め設定されている警告色とする、ことを特徴とする。
【手続補正４】
【補正対象書類名】明細書
【補正対象項目名】００１２
【補正方法】変更
【補正の内容】
【００１２】
また、請求項３に係る本発明は、前記色変換設定手段が、前記画像の前記警告色を前記画像処理端末で指定される警告色に設定する、ことを特徴とする。
【手続補正５】
【補正対象書類名】明細書
【補正対象項目名】００１３
【補正方法】変更
【補正の内容】
【００１３】
請求項４に係る本発明は、前記画像処理端末上に、前記検出手段によって検出された前記オーバープリントの設定がなされている前記画像に対する処理指定の入力要求を表示する表示手段を有する、ことを特徴とする。
【手続補正６】
【補正対象書類名】明細書
【補正対象項目名】００１４
【補正方法】変更
【補正の内容】
【００１４】
請求項５に係る発明は、前記表示制御手段が、前記画像処理手段によって処理されて得られる画像データに応じた画像を前記画像処理端末上に表示可能とする、ことを特徴とする。
【手続補正７】
【補正対象書類名】明細書
【補正対象項目名】００１５
【補正方法】変更
【補正の内容】
【００１５】
また、請求項６に係る発明は、カラー印刷の刷版の製作に用いる描画命令ないし画像データであり、上下に重ねられた画像のそれぞれが印刷出力されるオーバープリントの設定がなされた画像が含まれる描画命令ないし画像データが画像処理端末から入力されたときに、前記オーバープリントの設定にかかわらず上の画像に対応する下の画像がノックアウトされて印刷出力装置から印刷出力されるように画像処理が行われる画像処理装置であって、前記描画命令ないし前記画像データから前記オーバープリントの設定がなされている画像を検出する検出手段と、前記検出手段によって前記オーバープリントの設定がなされている前記画像が検出された場合に、通常の印刷出力に加えて、前記画像のみの警告ページ又は前記画像を消去した警告ページを印刷出力するように設定する出力設定手段と、前記描画命令ないし前記画像データに基づいて画像処理を行うときに、前記出力設定手段の設定に基づいた画像処理を行う画像処理手段と、を含むことを特徴とする。
【手続補正８】
【補正対象書類名】明細書
【補正対象項目名】００１６
【補正方法】変更
【補正の内容】
【００１６】
以上説明したように請求項１では、オーバープリントの設定がなされているにもかかわらず下の画像がノックアウトされて印刷出力されるときでも、該当画像が警告色で印刷出力されるので、印刷物上でオーバープリントの設定がなされている画像の有無及び該当画像が明確にできるという優れた効果が得られる。
【手続補正９】
【補正対象書類名】明細書
【補正対象項目名】００１７
【補正方法】変更
【補正の内容】
【００１７】
また、請求項２では、警告色の設定が容易となり、請求項３では、所望の色を警告色として適用することができる。
【手続補正１０】
【補正対象書類名】明細書
【補正対象項目名】００１８
【補正方法】変更
【補正の内容】
【００１８】
請求項４では、オーバープリントの設定がなされている描画命令ないし画像データ又は画像に対して適正な処理を行うことができ、請求項５では、該当画像を画像処理端末上で明確にできる。
【手続補正１１】
【補正対象書類名】明細書
【補正対象項目名】００１９
【補正方法】変更
【補正の内容】
【００１９】
また、請求項６では、通常の印刷出力と共に、オーバープリントの設定がなされている画像を明確にした印刷出力を得ることができる。